(57)【特許請求の範囲】
【請求項１】
挿入されたディスクの下面に接触して回転し前記挿入されたディスクを装置内に引込む回転ローラと、
前記回転ローラを押圧する方向に付勢され挿入されたディスクの上面に接触するディスクフロントガイドと、
前端側が小径ディスクの直径よりも広く奥側が前記小径ディスクの外周部と接触する曲率の段差部と、前記段差部よりディスク挿入方向奥側に突設された軸とを有し前記ディスクフロントガイドと同じ付勢方向に付勢され挿入されたディスクを位置決めするディスクバックガイドと、
前記ディスクバックガイドに回転可能に支持され両側にテーパ部が前記段差部よりディスク挿入方向手前側に突出して形成された検出アームとを有し、
前記検出アームのテーパ部が前記段差部の前端側に配置され、小径ディスクが挿入されると、前記小径ディスクが前記検出アームの片側に当接し、前記検出アームが回動して前記小径ディスクから逃げ、前記小径ディスクが前記段差部の奥側に当接して前記小径ディスクの芯出し位置が決まり、大径ディスクが挿入されると、前記大径ディスクが前記検出アームの両側のテーパ部に接触し両側のテーパ部に沿って前記段差部を乗り越えて前記軸に当接し芯出し位置が決まるディスク位置決め装置。
【発明の詳細な説明】
【０００１】
【発明の属する技術分野】
本発明は、車載用ＣＤプレーヤ等に使用するディスク位置決め装置に関する。
【０００２】
【従来の技術】
従来のディスク位置決め装置として、図７の平面図、図８の右側面図に示すような構成が知られている。
【０００３】
図７、図８に示すように、メインシャーシ２の前側部にディスク１１の移動をガイドするディスクガイド１が固定されている。フロントシャーシ１２にフィーダアーム４の中間部が支点ピン１２ａ、１２ｂにより回転可能に取り付けられている。フィーダアーム４の先端部に回転ローラ３が軸１３により回転可能に支持されている。フロントシャーシ１２とフィーダアーム４との間には引張ばね６ａ、６ｂが張設され、引張ばね６ａ、６ｂの弾性によりフィーダアーム４の先端側と回転ローラ３が上方へ付勢され、挿入されたディスク１１を回転ローラ３によりディスクガイド１に対して押圧することができるようになっている。軸１３の一端には回転力伝達手段１９が取り付けられ、駆動手段（図示省略）に連係されている。そして、駆動手段の駆動により回転力伝達手段１９を介して回転ローラ３が回転され、ディスクガイド１と協力してディスク１１を引き込み方向へ移動させることができるようになっている。
【０００４】
バックシャーシ５にはクランプアーム１７が軸５ａにより回転可能に連結され、クランプアーム１７にはディスク１１の芯出し位置を決めるための左右一対の芯出しレバー７、８の基部が軸７ａ、８ａを支点として回転可能に取り付けられている。芯出しレバー７、８は基部に形成された歯車状部７ｃ、８ｃが互いにかみ合わされ、同期して対称的に回動することができ、芯出しレバー７、８の先端部に取り付けられた軸７ａ、８ｂがクランプアーム１７に形成された弧状の溝１７ａに案内されるようになっている。右側の芯出しレバー８の軸８ｂには芯出しストッパ９の一端が回転可能に連結されている。軸７ｂ、８ｂ、９ａはディスク１１を検出するために用いられる。
【０００５】
クランプアーム１７には芯出しカム板１０が軸１７ａを支点して回転可能に支持されている。芯出しカム板１０には大径のディスク１１に対応したカム溝１０ｃと小径のディスク１１に対応したカム溝１０ｂが形成され、カム溝１０ｃに芯出しレバー８の軸８ｂが移動可能に挿入されるとともに、カム溝１０ｂに芯出しストッパ９の軸９ａが移動可能に挿入されている。バックシャーシ５にはロード・クランプ切換部１６が長穴５ｃ、５ｂとこれらの長穴５ｃ、５ｂに移動可能に挿通された軸１６ａ、１６ｂにより移動可能に支持されている。芯出しカム板１０には側方に長穴１０ａが形成され、この長穴１０ａがロード・クランプ切換部１６の軸１６ａに摺動可能に係合され、芯出しカム板１０が回転することにより、長穴１０ａと軸１６ａとを介してロード・クランプ切換部１６に動作を伝達し得るようになっている。
【０００６】
なお、１４はスピンドルモータ、１５はターンテーブル、１８はクランパーである。
【０００７】
以上の構成において、以下、その動作について説明する。
ディスク１１をディスクガイド１と回転ローラ３との間に挿入すると、上記のように回転ローラ３の駆動力によりディスク１１はディスクガイド１に沿って装置内に引き込まれる。引き込まれたディスク１１は芯出しレバー７の軸７ｂと芯出しレバー８の軸８ｂに当接する。このとき、大径のディスク１１では芯出しストッパ９の軸９ａにも同時に当接し、芯出しストッパ９の位置が変化する。それに伴い、芯出しカム板１０が回転し、カム溝１０ｃの位置が変化するが、小径のディスク１１では芯出しストッパ９の軸９ａに当接しないため、芯出しストッパ９の位置が変化せず、芯出しカム板１０のカム溝１０ｂの位置も変化しない。このように芯出しカム板１０は芯出しストッパー９の位置の差により使用されるカム溝１０ｃ、１０ｂが選択される。
【０００８】
ディスク１が更に引き込まれることにより、芯出しレバー７と芯出しレバー８が軸７ａ、８ａを支点として回転し、芯出しレバー８の軸８ｂが芯出しカム板１０のカム溝１０ｃ、若しくは１０ｂに沿って移動する。ディスク１１が芯出し位置に来ると、芯出しカム板１０のカム溝形状により芯出しカム板１０が回転し、上記のように長穴１０ａ、軸１６ａ等を介してディスク１１が芯出し位置に来たことをロード、クランプ切換部１６に伝える。これに伴い、芯出しレバー８の軸８ｂが芯出しカム板１０のカム溝１０ｃ、若しくは１０ｂにより固定され、同時に芯出しレバー７の位置も決まるため、ディスク位置が決まる。
【０００９】
このように、上記従来のディスク位置決め装置では、径の異なるディスク１１をクランプ可能な位置に決めするとともに、ロード・クランプ切換部１６に、ディスク１１が決めされたことを伝えることができる。
【００１０】
【発明が解決しようとする課題】
しかしながら、上記従来のディスク位置決め装置では、ディスク１１の位置を決める芯出しレバー７、８が、ディスク１１により押されて可動するため、位置精度が悪く、しかも、機構が複雑となるなどの問題があった。
【００１１】
本発明は、このような従来の問題を解決するものであり、径の異なるディスクを簡単な機構で、クランプ可能な位置に精度良く位置決めすることができるようにしたディスク位置決め装置を提供することを目的とするものである。
【００１２】
【課題を解決するための手段】
本発明は、上記目的を達成するために、回転ローラの位置を固定し、ディスクガイドを回転ローラ側に付勢し、同一軌跡で大径、小径のディスクを引き込むようにし、小径のディスクはディスクガイドの段差で、大径のディスクは検出アームによりディスクガイドの段差を乗り越えさせて突出部で選択的に芯出し位置決めするように構成したものである。
【００１３】
これにより、径の異なるディスクを簡単な機構でクランプ可能な位置に精度良く位置決めすることができるディスク位置決め装置が得られる。
【００１４】
【発明の実施の形態】
本発明の請求項１に記載の発明は、挿入されたディスクの下面に接触して回転し前記挿入されたディスクを装置内に引込む回転ローラと、前記回転ローラを押圧する方向に付勢され挿入されたディスクの上面に接触するディスクフロントガイドと、前記回転ローラよりも前記挿入されたディスクの挿入方向奥側かつ上面側に設けられ前記ディスクフロントガイドと同じ付勢方向に付勢されたディスクバックガイドと、前記ディスクバックガイドに回転可能に支持され両側にテーパ部が形成された検出アームとを有し、前記ディスクバックガイドは前端側が小径ディスクの直径よりも広く奥側が前記小径ディスクの外周部と接触する曲率の段差部を備え、前記検出アームのテーパ部が前記段差部の前端側に配置されたものであり、ディスク位置決め部へ導くための可動部を有するが、ディスク位置決め部には可動部を設けることなく、ディスクを位置決めすることができ、簡単な機構で精度良く位置決めすることができるという作用を有する。
【００１５】
以下、本発明の実施の形態について図面を参照しながら説明する。
図１ないし図６は本発明の一実施の形態によるディスク位置決め装置を示し、図１は平面図、図２（ａ）、（ｂ）はそれぞれ小径のディスク、大径のディスクを位置決めする状態の左側面図、図３は右側面図、図４は正面図、図５（ａ）〜（ｃ）は小径のディスクの位置決め動作説明図、図６（ａ）〜（ｅ）は大径のディスクの位置決め動作説明図である。
【００１６】
図１ないし図４に示すように、メインシャーシ３３の上部に設けられたクランプシャーシ２２に回転ローラ２１が軸２４により定位置で回転可能に支持されている。クランプシャーシ２２の両側に形成されたガイド長穴２２ａ、２２ｄにディスクフロントガイド２６のガイド軸２６ａ、２６ｂが移動可能に挿通され、ディスクフロントガイド２６が回転ローラ２１に対して接近、離隔可能に、かつ回転可能に支持されている。
【００１７】
クランプシャーシ２２とディスクフロントガイド２６との間には板ばね材から成るディスクガイドばね２７が介在され、このディスクガイドばね２７の弾性によりディスクフロントガイド２６がクランプシャーシ２２から離隔する側、すなわち、回転ローラ２１側に付勢され、挿入された小径のディスク３０、若しくは大径のディスク３２がディスクフロントガイド２６により回転ローラ２１に対して押圧されるようになっている。軸２４は回転力伝達手段３９により駆動手段（図示省略）に連係されている。そして、駆動手段の駆動により回転力伝達手段３９を介して回転ローラ２１が回転され、ディスクフロントガイド２６と協力してディスク３０、若しくは３２を引き込み方向へ移動させることができるようになっている。
【００１８】
クランプシャーシ２２の両側に各一対形成されたガイド長穴２２ｂ、２２ｃと２２ｅ、２２ｆにはディスクバックガイド２８のガイド軸２８ｂ、２８ｃと２８ｇ、２８ｆが移動可能に挿通され、上下方向のみ、すなわち、ディスクフロントガイド２６と同じ移動方向にのみ移動可能に支持されている。クランプシャーシ２２とディスクバックガイド２８との間には板ばね材から成るディスクガイドばね３１が介在され、このディスクガイドばね３１の弾性によりディスクバックガイド２８がクランプシャーシ２２から離隔する側、すなわち、ディスクフロントガイド２６と同じ付勢側に付勢されて位置決めされている。
【００１９】
ディスクバックガイド２８の前側部背面側には小径のディスク３０の芯出し位置を決めるための段差部２８ａが形成され、ディスクバックガイド２８の後端部背面側には大径のディスク３２の芯出し位置を決めるための軸２８ｄ、２８ｅが突設されている。段差部２８ａは前端側が小径のディスク３０の直径よりも広くなって、ディスク３０が容易に引き込まれ、奥側がディスク３０の外周一部と接触し得るような曲率を有するように設定されている。
【００２０】
ディスクバックガイド２８には検出アーム２３の中間部が軸２３ｃを中心として回転可能に支持されている。検出アーム２３の両側部にはディスクバックガイド２８の段差部２８に対応してテーパ部２３ａ、２３ｂが形成され、このテーパ部２３ａ、２３ｂにより引き込まれた大径のディスク３２がディスクバックガイド２８の段差部２８ａを乗り越えて芯出し位置まで導かれるようになっている。
【００２１】
ディスクバックガイド２８には切換レバー２９が軸２９ｃを中心として回転可能に支持されている。切換レバー２９は、小径のディスク３１が引き込まれた際にこの小径のディスク３０が芯出し位置に到達したことを検出するための突起部２９ａと、大径のディスク３２が引き込まれた際にこの大径のディスク３２が芯出し位置に到達したことを検出するための軸２９ｂと、ロード・クランプ切換部３８を動作させるための軸２９ｄとを有している。
【００２２】
なお、３４はスピンドルモータ、３５はターンテーブル、３６はクランパー、３７はクランパー押さえばねである。
【００２３】
以上の構成において、以下、その動作について説明する。
まず、小径のディスク３０の位置決め動作について説明すると、図１、図２（ａ）、図３、図４、図５（ａ）、若しくは図５（ｂ）に示すように、小径のディスク３０が回転ローラ２１とディスクフロントガイド２６との間に挿入されると、上記のように回転ローラ２１の回転力により小径のディスク３０は装置内に引き込まれる。小径のディスク３０は、更にディスクバックガイド２８に押し付けられながらディスクバックガイド２８に沿って引き込まれ、図２（ａ）および図５（ｃ）に示すように、ディスクバックガイド２８の段差部２８ａの奥側に当接し、芯出し位置が決まる。
【００２４】
このとき、検出アーム２３はディスク３０の引き込み力により軸２３ｃを中心に回転して小径のディスク３０から逃げる。上記のように小径のディスク３０は芯出し位置が決まると同時に、切換レバー２９の突起部２０ａを押圧し、切換レバー２９が軸２９ｃを中心に回転し、切換レバー２９の軸２９ｄによりロード・クランプ切換部３８を動作させる。その後、ロード・クランプ切換部３８によりディスク引き込み動作がディスククランプ動作に移行し、プレイ可能状態とする。
【００２５】
次に、大径のディスク３２の位置決め動作について説明すると、図１、図２（ｂ）、図３、図４、図６（ａ）に示すように、大径のディスク３２が回転ローラ２１とディスクフロントガイド２６との間に挿入されると、上記のように回転ローラ２１の回転力により大径のディスク３２は装置内に引き込まれる。大径のディスク３２は、更にディスクバックガイド２８に押し付けられながらディスクバックガイド２８の段差部２８ａの近くまで引き込まれると、図６（ｂ）〜（ｄ）に示すように、検出アーム２３のテーパ部２３ａ、２３ｂに大径のディスク３２が接触してテーパ部２３ａ、２３ｂの形状に沿ってディスクバックガイド２８の段差部２８ａを乗り越える。
【００２６】
その後、大径のディスク３２は引き込まれ続け、図２（ｂ）の３２ａの位置で図６（ｅ）に示すように、ディスクバックガイド２８の芯出し位置決めための軸２８ｄ、２８ｅに当接し、芯出し位置が決まる。これと同時に、大径のディスク３２は切換レバー２９の軸２９ｂを押圧し、切換レバー２９が軸２９ｃを中心に回転し、切換レバー２９の軸２９ｄによりロード・クランプ切換部３８を動作させる。その後、ロード・クランプ切換部３８によりディスク引き込み動作がディスククランプ動作に移行し、プレイ可能状態とする。
【００２７】
このように、上記実施の形態によれば、ディスク３０、３２の径の差に関係なく、挿入角度を一定として検出アーム２３により、２種類の径の異なるディスク３０、３２の芯出し位置を有する固定されたディスクバックガイド２８でディスク芯出し位置を決めるため、可動部分がないという点で芯出し位置の精度が高く、機構も簡素化することができるという利点を有する。
【００２８】
【発明の効果】
以上説明したように本発明によれば、ディスクの径の差に関係なく、挿入角度を一定としてディスク芯出し位置を決めるため、芯出し位置の精度が高く、機構も簡素化することができる。
【図面の簡単な説明】
【図１】本発明の一実施の形態によるディスク位置決め装置を示す平面図
【図２】（ａ）は同ディスク位置決め装置を示し、小径のディスクの芯出し状態の左側面図
（ｂ）は同ディスク位置決め装置を示し、大径のディスクの芯出し状態の左側面図
【図３】同ディスク位置決め装置を示す右側面図
【図４】同ディスク位置決め装置を示す正面図
【図５】（ａ）〜（ｃ）は同ディスク位置決め装置における小径のディスクの芯出し位置決め動作説明図
【図６】（ａ）〜（ｅ）は同ディスク位置決め装置における大径のディスクの芯出し位置決め動作説明図
【図７】従来のディスク位置決め装置を示す平面図
【図８】同ディスク位置決め装置を示す右側面図
【符号の説明】
２１  回転ローラ
２２  クランプシャーシ
２３  検出アーム
２６  ディスクフロントガイド
２７  ディスクガイドばね
２８  ディスクバックガイド
２８ａ  段差部
２８ｄ  芯出し位置決め軸
２８ｅ  芯出し位置決め軸
２９  切換レバー
３０  小径のディスク
３１  ディスクガイドばね
３２  大径のディスク
３８  ロード・クランプ切換部
【図１】
0003763170.tif 000002
【図２】
0003763170.tif 000003
【図３】
0003763170.tif 000004
【図４】
0003763170.tif 000005
【図５】
0003763170.tif 000006
【図６】
0003763170.tif 000007
【図７】
0003763170.tif 000008
【図８】
0003763170.tif 000009